(57)【要約】【課題】未使用時に、弾性材の弾性力により省スペースに収容でき、かつ、使用時に容易に外れないベビーカーカバーを提供すること。【解決手段】略ドーム形状のカバー本体と、該カバー本体の周囲に設けられた無端周縁部と、該無端周縁部に収容された弾性材とからなるベビーカーカバーである。【選択図】図１
0003150488.tif 000002
【実用新案登録請求の範囲】
【請求項１】
略ドーム形状のカバー本体と、
該カバー本体の周囲に設けられた無端周縁部と、
該無端周縁部に収容された弾性材とからなるベビーカーカバー。
【請求項２】
前記カバー本体の周囲に、１または複数の貫通孔が設けられてなる請求項１記載のベビーカーカバー。
【請求項３】
前記カバー本体の一部に、ベビーカー本体との接続部材が設けられ、
前記接続部材に、ベビーカーを把持する把持部と、ベビーカーを保持する保持部材が設けられ、
前記カバー本体の一部に、該保持部材と対応する被保持部材が設けられてなる請求項１または２記載のベビーカーカバー。
【請求項４】
前記カバー本体の一部に、ベビーカー本体との接続部材が設けられ、
前記接続部材に、ベビーカーを把持する把持部と、カバー本体を巻回する巻回部材と、
該巻回部材を保持する保持部材が設けられ、
該巻回部の一部に設けられ、前記保持部材と対応する被保持部材が設けられてなる請求項１または２記載のベビーカーカバー。
【請求項５】
前記カバー本体の一部に、ベビーカー本体との接続部材が設けられ、
前記接続部材に、ベビーカーを把持する把持部と、カバー本体を収納する収納部材と、
該収納部材を保持する保持部材が設けられ、
該収納部材の一部に設けられ、前記保持部材と対応する被保持部材が設けられてなる請求項１または２記載のベビーカーカバー。
【考案の詳細な説明】
【技術分野】
【０００１】
本考案は、ベビーカーカバーに関する。さらに詳細には、略ドーム形状のカバー本体と、該カバー本体の周囲に設けられた無端周縁部と、該無端周縁部に収容された弾性材とからなり、未使用時に、弾性材の弾性力により省スペースに収容でき、かつ、使用時に容易に外れないベビーカーカバーに関する。
【背景技術】
【０００２】
従来、ベビーカーに乳幼児を乗せて外出する際、直射日光から乳幼児を保護する目的や、大気中に舞う花粉や粉塵等から乳幼児を保護するために、種々のベビーカーカバーがある。特許文献１には、レースでできたカバーにより、日よけ、虫除け、暑さよけ、風除け、ホコリ除けができるカバーが開示されている。また、特許文献２には、可撓性シートと、その端部に抱持バンドが設けられたカバーが開示されている。
【先行技術文献】
【特許文献】
【０００３】
【特許文献１】特開２００５−１４８７１号公報
【特許文献２】特開２００６−２６４５３４号公報
【考案の概要】
【考案が解決しようとする課題】
【０００４】
しかし、特許文献１に開示されたカバーは、やわらかいプラスチック製の心棒を用いてカバーの形状を保持しており、未使用時であっても、折りたためないという問題があり、その結果、未使用時に無駄なスペースをとるという問題がある。また、特許文献２に開示されたカバーは、未使用時に硬質の環に可撓性シートを巻きつけることにより、省スペース化が可能ではあるものの、飽くまで使用者が「巻きつける」という動作を必要とする点で、必ずしも利便性が向上しているとはいえない。また、これらのカバーは、使用時にベビーカーと固着することができず、突風などにより容易に外れてしまうという問題もある。
【０００５】
本考案は、上記従来の問題に鑑みてなされたものであり、未使用時に、弾性材の弾性力により省スペースに収容でき、かつ、使用時に容易に外れないベビーカーカバーを提供することを目的とする。
【課題を解決するための手段】
【０００６】
本考案のベビーカーカバーの一態様は、略ドーム形状のカバー本体と、該カバー本体の周囲に設けられた無端周縁部と、該無端周縁部に収容された弾性材とからなるベビーカーカバーである。
【０００７】
前記カバー本体の周囲に、１または複数の貫通孔が設けられてなることが好ましい。
【０００８】
また、本考案のベビーカーカバーの一態様は、前記カバー本体の一部に、ベビーカー本体との接続部材が設けられ、前記接続部材に、ベビーカーを把持する把持部と、ベビーカーを保持する保持部材が設けられ、前記カバー本体の一部に、該保持部材と対応する被保持部材が設けられてなる。
【０００９】
また、本考案のベビーカーカバーの一態様は、前記カバー本体の一部に、ベビーカー本体との接続部材が設けられ、前記接続部材に、ベビーカーを把持する把持部と、カバー本体を巻回する巻回部材と、該巻回部材を保持する保持部材が設けられ、該巻回部の一部に設けられ、前記保持部材と対応する被保持部材が設けられてなる。
【００１０】
さらに、本考案のベビーカーカバーの一態様は、前記カバー本体の一部に、ベビーカー本体との接続部材が設けられ、前記接続部材に、ベビーカーを把持する把持部と、カバー本体を収納する収納部材と、該収納部材を保持する保持部材が設けられ、該収納部材の一部に設けられ、前記保持部材と対応する被保持部材が設けられてなる。
【考案の効果】
【００１１】
本考案のベビーカーカバーによれば、未使用時に、弾性材の弾性力により省スペースに収容することができる。また、使用時に容易に外れないベビーカーカバーを提供することができる。
【図面の簡単な説明】
【００１２】
【図１】本考案のベビーカーカバーの一実施態様（実施の形態１）におけるベビーカーカバーをベビーカーに装着した状態を示す側面図である。
【図２】本考案のベビーカーカバーの無端周縁部の拡大図である。
【図３】本考案のベビーカーカバーの一実施態様（実施の形態１）におけるベビーカーカバーの未使用時を説明する斜視図である。
【図４】本考案のベビーカーカバーの一実施態様（実施の形態２）におけるベビーカーカバーをベビーカーに装着した状態を示す側面図である。
【図５（ａ）】本考案のベビーカーカバーの一実施態様（実施の形態３）におけるベビーカーカバーをベビーカーに装着した状態を説明する説明図である。
【図５（ｂ）】本考案のベビーカーカバーの一実施態様（実施の形態３）におけるベビーカーカバーの未使用時の状態を説明する説明図である。
【図５（ｃ）】本考案のベビーカーカバーの一実施態様（実施の形態４）におけるベビーカーカバーの未使用時の状態を説明する説明図である。
【図５（ｄ）】本考案のベビーカーカバーの一実施態様（実施の形態５）におけるベビーカーカバーの未使用時の状態を説明する説明図である。
【考案を実施するための形態】
【００１３】
本考案の実施の形態にかかわるベビーカーカバーについて、添付図面に沿って、以下に詳細に説明する。
【００１４】
図１は、本考案のベビーカーカバーの一実施態様（実施の形態１）におけるベビーカーカバーをベビーカーに装着した状態を示す側面図である。図２は、本考案のベビーカーカバーの無端周縁部の拡大図であり、図２（ａ）は、本考案のベビーカーカバーの一実施態様（実施の形態１）におけるベビーカーカバーの無端周縁部の拡大図であり、図２（ｂ）は、本考案のベビーカーカバーの一実施態様（実施の形態２）におけるベビーカーカバーの無端周縁部の拡大図である。図３は、本考案のベビーカーカバーの一実施態様（実施の形態１）におけるベビーカーカバーの未使用時を説明する斜視図である。図４は、本考案のベビーカーカバーの一実施態様（実施の形態２）におけるベビーカーカバーをベビーカーに装着した状態を示す側面図である。図５（ａ）は、本考案のベビーカーカバーの一実施態様（実施の形態３）におけるベビーカーカバーをベビーカーに装着した状態を説明する説明図であり、図５（ｂ）は、本考案のベビーカーカバーの一実施態様（実施の形態３）におけるベビーカーカバーの未使用時の状態を説明する説明図であり、図５（ｃ）は、本考案のベビーカーカバーの一実施態様（実施の形態４）におけるベビーカーカバーの未使用時の状態を説明する説明図であり、図５（ｄ）は、本考案のベビーカーカバーの一実施態様（実施の形態５）におけるベビーカーカバーの未使用時の状態を説明する説明図である。
【００１５】
実施の形態１
図１および図２（ａ）に示されるように、本実施の形態１にかかわるベビーカーカバー１は、略ドーム形状のカバー本体２と、該カバー本体２の周囲に設けられた無端周縁部３と、該無端周縁部３に収容された弾性材４とからなる。
【００１６】
カバー本体２は、ベビーカーそのものを覆う部材であり、ベビーカーそのものを覆うことにより、直射日光から乳幼児を保護することができ、大気中に舞う花粉や粉塵等から乳幼児を保護することができる。カバー本体２は、略ドーム形状を呈している。ここで、略ドーム形状とは、図１に示されるように、ベビーカーの座席部、背もたれ部のほぼ全体を覆うよう形成され、ベビーカーに装着した際に、乳幼児が動作する際に、その動作を必要以上に妨げないよう、内部にスペースを確保するための形状をいう。
【００１７】
カバー本体２の材質としては特に限定されず、織布、不織布を問わず、広く一般的な生地を使用することができる。網目状に形成されたレースであってもよい。その中でも、通気性がよく、かつ遮光性の高い素材として、綿素材を使用した白色のカバーを採用することが好ましい。白色の綿素材を採用することにより、カバー本体２で覆われたベビーカー内部の温度を、乳幼児の体温や気温により上昇させることが少ない。また、カバー本体２の材質として、綿素材を使用した場合、表面にイラストや模様を印刷することもでき、カバー本体２の上下方向を判別しやすく、装着時において、使用者の利便性が向上する点で好ましい。
【００１８】
カバー本体２の厚さは特に限定されないが、一般に０．５〜２ｍｍ程度が好ましい。０．５ｍｍ未満の場合、素材により若干の差はあるが、充分な遮光性が得られないという問題がある。また、２ｍｍを超える場合、素材により若干の差はあるが、通気性が悪くなったり、未使用時に省スペースに収まりにくいという問題がある。
【００１９】
カバー本体の周縁には、無端状に形成された無端周縁部３が設けられている。無端周縁部３は、カバー本体の周縁を折り返して縫うことにより形成することができる。参照符号３ａは縫目である。
【００２０】
前記無端周縁部３には、弾性材４が収容されている。弾性材４は、ベビーカーカバー１をベビーカーに装着後、ベビーカーカバー１をベビーカーに仮保持するために設けられている。すなわち、装着する際に、使用者が弾性材４の弾性力に抗するようカバー本体の無端周縁部３を拡げ、ベビーカーに装着する。装着後、弾性材４が元の形状に収縮するとともに、ベビーカーの座席部や背もたれ部を締め付けることにより、仮保持がなされる。
【００２１】
弾性材４としては、特に限定されないが、使用者が無理なく拡げることができ、かつ、乳幼児が自力で外すことができぬよう、ある程度の弾性力を有するゴム紐やウレタン紐などを使用することができる。ゴム紐やウレタン紐を採用した場合、経年使用により弾性率が低下した場合であっても、容易に新品と交換することができ、かつ、弾性力の調節も容易である点で好ましい。
【００２２】
なお、図３に示されるように、本考案のベビーカーカバー１は、未使用時には、前記弾性材４による収縮により、自動的に省スペースに収容される。このように自動的に省スペースに形状が変化することにより、使用者の利便性が向上し、かつ、広い収納場所を必要としない。
【００２３】
実施の形態２
図２（ｂ）および図４に示されるように、本実施の形態２にかかわるベビーカーカバー５には、カバー本体６の周囲に、１または複数の貫通孔７が設けられている。
【００２４】
該貫通孔７は、図４に示されるように、ベビーカーカバー５の装着時に、締付材８を通し、該締付材８をベビーカー本体の支柱に巻き付けることにより、ベビーカーカバー５をベビーカー本体に、より強固に保持することができる。
【００２５】
該締付材８の材質は特に限定されないが、繊維からなる紐や、ビニールテープ、極端には針金でもよい。
【００２６】
前述の実施の形態１にかかるベビーカーカバー１を装着したベビーカー本体では、仮保持がなされていたに過ぎないため、外力（強風など）によりベビーカーカバー１が外れてしまうことも考えられるが、かかる締付材８により保持した場合には、外力により外れることがない。
【００２７】
なお、締付材８により、ベビーカー本体にベビーカーカバー５が強固に保持されているものの、前述の通り、カバー本体６は、略ドーム形状を呈しているため、乳幼児の動作を必要以上に妨げることはない。
【００２８】
図４では、カバー本体６の周囲に多数の貫通孔７が設けられた場合を例示したが、本考案はこれに限定されず、貫通孔７の数は、１つでもよい。
【００２９】
その他の部材については、実施の形態１のベビーカーカバー１と同様であり、説明を省略する。
【００３０】
実施の形態３
図５（ａ）および図５（ｂ）に示されるように、本実施の形態３にかかわるベビーカーカバー９は、カバー本体１０の一部に、ベビーカー本体との接続部材１１が設けられ、前記接続部材１１に、ベビーカーを把持する把持部１２と、ベビーカーを保持する保持部材１３が設けられ、前記カバー本体の一部に、該保持部材と対応する被保持部材が設けられてなる。
【００３１】
実施の形態１にかかわるベビーカーカバー１は、弾性材４によりベビーカー本体の背もたれ部や座席部を覆うように装着されるが、ベビーカー本体の種類によっては、屋根部が設けられていないものもあり、そのような場合には、乳幼児の頭部付近を充分に仮保持することができないとも考えられる。そこで、本実施の形態３のベビーカーカバー９には、ベビーカー本体と接続しうるよう接続部材１１が設けられ、かかる接続部材１１に設けられた把持部１２を使用することにより、ベビーカー本体の枠組みを把持し、屋根部１４が設けられていないベビーカーに使用した場合であっても、屋根部１４に相当する部位として機能させることができる。
【００３２】
なお、屋根部１４が設けられているベビーカー本体に使用してもなんら問題はない（図５（ａ）および図５（ｂ）では、屋根部１４を有するベビーカー本体に使用した場合を例示）。
【００３３】
接続部材１１の材質としては特に限定されず、防水、撥水効果を付与する目的では、たとえばフッ素樹脂コーティングを施したものが好ましい。
【００３４】
さらに、前記接続部材１１に、カバー本体１０の一部を保持する保持部材１３を設け、前記カバー本体の一部に、該保持部材と対応する被保持部材を設けることも可能である。該被保持部材は、カバー本体１０の一部に設けられており、本実施の形態３のベビーカーカバー９を折りたたんだ際に、前記保持部材１３と係合するよう、対応する位置に設けられている。
【００３５】
なお、保持部材１３および被保持部材の材質、形状としては特に限定されないが、保持部材１３が、たとえばフック状に形成されている場合は、被保持部材は、そのフックと対応するよう形成されていればよく、フックが係合するよう貫通孔になっていてもよい。また、保持部材１３や被保持部材は、それぞれ対応するボタンで形成されていてもよい。さらに、両部材ともに磁石で形成されていてもよく、自由に選択することができる。
【００３６】
その他の部材については、実施の形態１および２と同様であるため、説明を省略する。
【００３７】
実施の形態４
図５（ｃ）に示されるように、本実施の形態４にかかわるベビーカーカバー１５は、実施の形態３のカバー本体１０の一部に、ベビーカー本体との接続部材１１が設けられ、前記接続部材１１に、ベビーカーを把持する把持部１２と、カバー本体１０を巻回する巻回部材１６と、該巻回部材１６を保持する保持部材１３が設けられ、該巻回部材１６の一部に設けられ、前記保持部材１３と対応する被保持部材が設けられてなる。
【００３８】
前述の通り、実施の形態３にかかわるベビーカーカバー９では、カバー本体１０の一部に設けられた被保持部と、接続部材１１に設けられた保持部材１３により、ベビーカーカバー９を折りたたんで収納していたが、本実施の形態４のベビーカーカバー１５には、カバー本体１０の一部に被保持部材が設けられている代わりに、折りたたんだ状態のカバー本体を巻回する巻回部材１６が設けられている。
【００３９】
このように、巻回部材１６を別部材として設けることにより、カバー本体１０を折りたたむ方法に限定されず、種々の方法により折りたたんだ状態のカバー本体１０を、直接巻回し、保持することができ、使用者の利便性をさらに向上させることができる。すなわち、実施の形態３のベビーカーカバー９によれば、被保持部材を、保持部材１３と対応する位置に合わせて折りたたむ必要があり、折りたたむ順序等を限定せざるを得なかったが、本実施の形態４にかかわるベビーカーカバー１５では、そのような問題は生じない。
【００４０】
なお、保持部材１３および被保持部材の材質、形状としては特に限定されず、実施の形態３で詳述したように、自由に選択することができる。
【００４１】
その他の部材については、実施の形態１および２と同様であるため、説明を省略する。
【００４２】
実施の形態５
図５（ｄ）に示されるように、本実施の形態５にかかわるベビーカーカバー１７は、実施の形態３のカバー本体１０の一部に、ベビーカー本体との接続部材１１が設けられ、前記接続部材１１に、ベビーカーを把持する把持部１２と、カバー本体を収納する収納部材１８と、該収納部材１８を保持する保持部材１３が設けられ、該収納部材１８の一部に設けられ、前記保持部材１３と対応する被保持部材が設けられてなる。
【００４３】
本実施の形態５のベビーカーカバー１７には、実施の形態４の巻回部材１６の代わりに、カバー本体を収納する収納部材１８が設けられている。
【００４４】
このように、収納部材１８を別部材として設けることにより、カバー本体を折りたたんだ上で、収納部材１８に収納し、収納後には、収納部材１８に設けられた被保持部と、接続部材１１に設けられた保持部１３とを対応させることにより、カバー本体を収納部材１８の内部に収納させることができる。
【００４５】
実施の形態４のベビーカーカバー１７を巻回保持した状態では、雨などにより、カバー本体が濡れたり、経年使用により、汚れが付着することもあるが、このように、未使用時に収納することにより、それらを軽減することができ、さらに利便性が向上する。また、外観の見栄えも向上する点で好ましい。
【００４６】
なお、保持部材１３および被保持部材の材質、形状としては特に限定されず、実施の形態３および４で詳述したように、自由に選択することができる。
【００４７】
その他の部材については、実施の形態１および２と同様であるため、説明を省略する。
【符号の説明】
【００４８】
１、５、９、１５、１７  ベビーカーカバー
２、６、１０  カバー本体
３  無端周縁部
３ａ  縫目
４  弾性材
７  貫通孔
８  締付材
１１  接続部材
１２  把持部
１３  保持部材
１４  屋根部
１６  巻回部材
１８  収納部材
【図１】
0003150488.tif 000003
【図２】
0003150488.tif 000004
【図３】
0003150488.tif 000005
【図４】
0003150488.tif 000006
【図５（ａ）】
0003150488.tif 000007
【図５（ｂ）】
0003150488.tif 000008
【図５（ｃ）】
0003150488.tif 000009
【図５（ｄ）】
0003150488.tif 000010